(57)【特許請求の範囲】
【請求項１】
腹側部分及び背側部分を有し、前記腹側部分及び前記背側部分のうち少なくとも一方の部分における幅方向両側部から、他方の部分と着脱自在に連結されるファスニングテープがそれぞれ突出されている、テープ式使い捨ておむつにおいて、
前記ファスニングテープは、前記一方の部分に固定された固定部と、この固定部から突出し、前記一方の部分に非固定の突出部とを有し、この突出部は、前記連結のための連結部が設けられた先端部と、この先端部よりも基端側の本体部とを有しており、
前記ファスニングテープの上下方向中間部における幅方向外側縁から本体部内まで幅方向に沿うミシン目が設けられるとともに、このミシン目の上下両側に前記連結部がそれぞれ設けられており、前記ミシン目を切り離すことにより上段部及び下段部に分離され、且つ上段部及び下段部の各々が前記固定部、本体部、先端部及び連結部を備えるように構成されており、
前記本体部を横断して前記固定部と前記先端部とを往復しながら前記ファスニングテープの上下方向に延在する三角波状をなすように細長状弾性部材が設けられており、
前記ファスニングテープの本体部は、第１の部分と、この第１の部分より股間側に位置する第２の部分とからなる単位構造がウエスト端縁側から股間側にかけて複数並設されており、
前記第１の部分には、前記先端部側から前記固定部側に向かうにつれてウエスト端縁側に近づくような固定位置に沿って、前記細長状弾性部材がその長手方向に沿って伸張された状態で固定されており、
前記第２の部分には、前記先端部側から前記固定部側に向かうにつれて股間側に近づくような固定位置に沿って、前記細長状弾性部材がその長手方向に伸張された状態で固定されており、
前記本体部における前記細長状弾性部材の固定が、前記細長状弾性部材の長手方向に所定の規則的間隔で間欠的になされている、
ことを特徴とするテープ式使い捨ておむつ。
【請求項２】
前記ファスニングテープの股間側端縁が、前記先端部側から前記固定部側に向かうにつれて股間側に近づくように形成されている、請求項１記載のテープ式使い捨ておむつ。
【発明の詳細な説明】
【技術分野】
【０００１】
本発明は、テープ式使い捨ておむつに関するものである。
【背景技術】
【０００２】
テープ式使い捨ておむつは、背側部分の幅方向両側部から、他方の部分と着脱自在に連結されるファスニングテープがそれぞれ突出されているものである（例えば特許文献１、２参照）。ファスニングテープは、背側部分に対する固定部と、背側部分から突出する突出部とを有し、この突出部は、連結のためのフックテープや粘着剤層等の連結部が設けられた先端部と、この先端部よりも基端側の本体部とを有している。近年では、胴回りの締め付けに弾力性をもたせ、身体に対するフィット性を高めるために、ファスニングテープに糸ゴムを幅方向に沿って伸張状態で固定し、幅方向に沿う伸縮性を高めることが提案されている。
【特許文献１】特開２００５−１６０５０６号公報
【特許文献２】特許３７３７７２５号公報
【発明の開示】
【発明が解決しようとする課題】
【０００３】
しかしながら、従来の伸縮性ファスニングテープは、収縮力が幅方向に沿ってのみ作用するため、脚の動きや胴の動きにより発生する様々な状態に対して、必ずしも適切な収縮力が発揮されず、脚周りや胴回りに隙間が発生し、漏れにつながるおそれがあった。
そこで、本発明の主たる課題は、脚の動きや胴の動きにより発生する様々な状態に対して、より優れたフィット性を発揮するテープ式使い捨ておむつを提供することにある。
【課題を解決するための手段】
【０００４】
上記課題を解決した本発明は次記のとおりである。
＜請求項１記載の発明＞
腹側部分及び背側部分を有し、前記腹側部分及び前記背側部分のうち少なくとも一方の部分における幅方向両側部から、他方の部分と着脱自在に連結されるファスニングテープがそれぞれ突出されている、テープ式使い捨ておむつにおいて、
前記ファスニングテープは、前記一方の部分に固定された固定部と、この固定部から突出し、前記一方の部分に非固定の突出部とを有し、この突出部は、前記連結のための連結部が設けられた先端部と、この先端部よりも基端側の本体部とを有しており、
前記ファスニングテープの上下方向中間部における幅方向外側縁から本体部内まで幅方向に沿うミシン目が設けられるとともに、このミシン目の上下両側に前記連結部がそれぞれ設けられており、前記ミシン目を切り離すことにより上段部及び下段部に分離され、且つ上段部及び下段部の各々が前記固定部、本体部、先端部及び連結部を備えるように構成されており、
前記本体部を横断して前記固定部と前記先端部とを往復しながら前記ファスニングテープの上下方向に延在する三角波状をなすように細長状弾性部材が設けられており、
前記ファスニングテープの本体部は、第１の部分と、この第１の部分より股間側に位置する第２の部分とからなる単位構造がウエスト端縁側から股間側にかけて複数並設されており、
前記第１の部分には、前記先端部側から前記固定部側に向かうにつれてウエスト端縁側に近づくような固定位置に沿って、前記細長状弾性部材がその長手方向に沿って伸張された状態で固定されており、
前記第２の部分には、前記先端部側から前記固定部側に向かうにつれて股間側に近づくような固定位置に沿って、前記細長状弾性部材がその長手方向に伸張された状態で固定されており、
前記本体部における前記細長状弾性部材の固定が、前記細長状弾性部材の長手方向に所定の規則的間隔で間欠的になされている、
ことを特徴とするテープ式使い捨ておむつ。
【０００５】
（作用効果）
本発明では、第１の部分及び第２の部分にそれぞれ細長状弾性部材が伸張状態で固定されているため、両部分に収縮力が作用する。特徴的には、両部分における収縮力の向きが幅方向ではなく、第１の部分では先端部側から固定部側に向かうにつれてウエスト端縁側に近づくような固定位置に沿って収縮力が作用し、第２の部分では反対に、先端部側から固定部側に向かうにつれて股間側に近づくような固定位置に沿って収縮力が作用する。したがって、腹側部分及び背側部分のうちファスニングテープの固定部が固定されている方では、第１の部分は脚周りに沿う方向の収縮力を発揮し、第２の部分はウエスト端縁側端部が身体から離間する方向の力に対して抗する方向の収縮力を発揮する。一方、腹側部分及び背側部分のうちファスニングテープの先端部が連結される方では、第２の部分が脚周りに沿う方向の収縮力を発揮し、第１の部分はウエスト端縁側端部が身体から離間する方向の力に対して抗する方向の収縮力を発揮する。よって、これら異なる方向の収縮力が発揮されることにより、脚の動きや胴の動きにより発生する様々な状態に対して優れたフィット性が発揮される。例えば、装着者が座位を取ると、おむつの脚周りに沿って張力が強くなる部分や弱くなる部分が発生するが、本発明の場合、ファスニングテープにおける細長状弾性部材の収縮力の向きが、このような脚周りに沿う方向の張力変化を吸収するのに適しているため、脚周りにおけるフィット性に優れるようになる。
【０００６】
【０００７】
また、第１の部分及びその股間側に位置する第２の部分からなる単位構造がウエスト端縁側から股間側にかけて複数並設されている構造を採用することにより、上下方向幅（ウエスト端縁側と股間側とを結ぶ方向の幅）の広いテープにおいても、上述した本発明の作用効果を良好に発揮させることができる。
【０００８】
【０００９】
さらに、細長状弾性部材が本項記載のような三角波状に配置されていると、一本の弾性部材で広範囲に本発明の伸縮性を付与することができる。
また、このように、細長状弾性部材が長手方向に所定の規則的間隔で間欠的に固定されていると、弾性部材の収縮による皺が規則的となるため、伸縮性が顕著に向上するとともに見栄えも良くなる。
【００１０】
＜請求項２記載の発明＞
前記ファスニングテープの股間側端縁が、前記先端部側から前記固定部側に向かうにつれて股間側に近づくように形成されている、請求項１記載のテープ式使い捨ておむつ。
【００１１】
（作用効果）
ファスニングテープの股間側端縁がこのような形状を有していると、おむつの脚周りに沿う力の方向がファスニングテープで急角度に変化しないため、ファスニングテープが円滑に伸縮でき、脚周りに対するフィット性も高いものとなる。
【００１２】
【００１３】
【発明の効果】
【００１４】
以上、本発明によれば、脚の動きや胴の動きにより発生する様々な状態に対して、より優れたフィット性を発揮するようになる、等の利点がもたらされる。
【発明を実施するための最良の形態】
【００１５】
以下、本発明の一実施形態について添付図面を参照しながら詳説する。
（基本的な構造について）
図１〜図１０は、本発明に係るテープ式使い捨ておむつの一例を示しており、このテープ式使い捨ておむつは、外面に外装シート１２が積層された不透液性バックシート１の内面と、透液性トップシート２との間に、吸収体３が介在されているものである。
【００１６】
不透液性バックシート１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。
【００１７】
外装シート１２は、肌触りを改善するために不透液性バックシート１の外面に張り合わされるものである。外装シート１２としては各種の不織布を用いることができる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００１８】
透液性トップシート２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。また、不織布の加工方法としては、スパンレース法、スパンボンド法、ＳＭＳ法、サーマルボンド法、メルトブローン法、ニードルパンチ法、エアスルー法、ポイントボンド法等の公知の方法を用いることができる。
【００１９】
吸収体３としては、パルプ繊維の積繊体、セルロースアセテート等のフィラメントの集合体、あるいは不織布を基本とし、必要に応じて高吸収性ポリマーを混合、固着等してなるものを用いることができる。必要に応じて、吸収体３はクレープ紙（図示せず）により包むことができる。また、吸収体３の形状は適宜定めることができるが、図示のような砂時計形状の他、長方形等のように、股間部の前側から後側まで延在する形状が好適である。
【００２０】
不透液性バックシート１は、吸収体３の周囲より外方に延在して略砂時計形状を成している。不透液性バックシート１の側方延在部の内面にはバリヤシート４の幅方向外側の部分４ｘが前後方向全体にわたり貼り付けられ、吸収体３の存在しないサイドフラップ部ＳＦを構成している。バリヤシート４の幅方向中央側の部分４ｃはトップシート２上にまで延在しており、その幅方向中央側の端部には、細長状弾性部材４Ｇが前後方向に沿って伸張状態でホットメルト接着剤等により固定されている。この細長状弾性部材４Ｇ及び後述する細長状弾性部材７，１３，２０としては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。
【００２１】
透液性トップシート２は、吸収体３より若干大きめの砂時計形状とされ、吸収体３側縁より若干外方に延在する部分がバリヤシート４と不透液性バックシート１との間に介在され不透液性バックシート１側にホットメルト接着剤等により接着されている。この接着剤部分は図３及び図４では点模様（網掛け）で示されている。バリヤシート４の素材としては、プラスチックシートやメルトブローン不織布を使用することもできるが、肌への感触性の点で、不織布にシリコンなどにより撥水処理をしたものが好適に使用される。
【００２２】
不透液性バックシート１の外面を不織布で覆う場合には、不透液性バックシート１に代えて、外装不織布を吸収体３の周囲より外方に延在させてバリヤシート４の側部とともに、吸収体８の存在しないサイドフラップ部ＳＦを構成することもできる。この場合、不透液性バックシート１をサイドフラップ部ＳＦまで延在させず、トップシート２と同様の形状とすることができる。
【００２３】
図３及び図４にも示されるように、両バリヤシート４，４は、幅方向外側の部分４ｘが前後方向全体にわたり物品内面（図示形態ではトップシート２表面およびバックシート１内面）に着脱しないように固定されるとともに、幅方向中央側の部分４ｃが、前後方向の両端部では物品内面（図示形態ではトップシート２表面）に着脱しないように固定され、かつ前後方向の両端部間では物品内面（図示形態ではトップシート２表面）に固定されていない。この非固定部分は、図４に示されるように、物品内面（図示形態ではトップシート２表面）に対して起立可能なバリヤ部となる部分であり、その起立基端４ｂはバリヤシート４における幅方向外側の固定部分４ｘと内側の部分４ｃとの境に位置する。
【００２４】
使い捨ておむつの前後方向両端部では、不透液性バックシート１および透液性トップシート２が吸収体３の前後端よりも前後両側にそれぞれ延在され、吸収体３の存在しないエンドフラップ部ＥＦが形成され、このうち背側のエンドフラップ部ＥＦにおいては、複数本、図示の例では３本の細長状弾性部材７，７…が幅方向に沿って配設されている。
【００２５】
また、背側の両サイドフラップ部ＳＦには、それぞれファスニングテープ５，５が側方に突出するように取り付けられるとともに、使い捨ておむつの腹側表面に幅方向に沿ってフロントターゲットテープ６が貼着されており、このフロントターゲットテープ６にファスニングテープ５を止着することによって使い捨ておむつが身体に装着されるようになっている。より詳細には、ファスニングテープ５は、背側部分のサイドフラップＳＦに固定された固定部５ｆと、サイドフラップ部ＳＦから幅方向外側に突出する突出部５ｅとを有しており、この突出部５ｅは先端部５ｐと、この先端部５Ｐよりも基端側の本体部５ｂとを有している。ファスニングテープ５の先端部５ｐの内面側（透液性表面シート２側）には、ターゲットテープ６との連結のための連結部として、表面にフック状突起を多数有するフックテープ（メカニカルファスナーの雄材）９，９がそれぞれ取り付けられており、フロントターゲットテープ６としてフック状突起が着脱可能に掛止される表面を有するもの（メカニカルファスナーの雌材）６が取り付けられている。おむつ外面の素材自体をフロントターゲットテープ６の代わりに用いたり、フックテープ９に代えて粘着剤層を用いるとともに、フロントターゲットテープ６として粘着性に富むような表面が平滑な樹脂テープを用いたりすることができる。
【００２６】
使い捨ておむつの幅方向両側には、腹側部分から背側部分にわたり延在するように、複数本の細長状弾性部材１３がそれぞれ設けられている。この弾性部材１３は、本実施形態では外装シート１２とバックシート１との間に接着剤を用いて固定されているが、サイドフラップ部ＳＦのみに設ける場合等、取付位置に応じて、バックシート１とバリヤシート４との間や、バックシート１とトップシート２との間に設けることもできる。
【００２７】
特に本実施形態においては、サイドフラップ部ＳＦにおいて、脚周りに沿うように形成された括れ部分に沿って延在する複数本（図示例では５本）の外側弾性部材１３と、腹側及び背側のサイドフラップ部ＳＦに始端及び終端を有し、股間側の部分において吸収体と重なる部分まで内側に膨出延在する複数本（図示例では３本）の内側弾性部材１３とが設けられている。
【００２８】
外側弾性部材１３は、前後方向に沿って延在するように束ねられた背側端部収束部分１３ｓと、及び前後方向に沿って延在するように束ねられた腹側端部収束部分１３ｓと、これらの中間部としての、弾性部材１３相互の間隔が空けられた非収束部分とを有している。
【００２９】
内側弾性部材１３は、前後方向に沿って延在するように束ねられた背側端部収束部分１３ｓと、及び前後方向に沿って延在するように束ねられた腹側端部収束部分１３ｓと、背側及び腹側端部収束部分１３ｓ間の部分のうち背側端部収束部分１３ｓの近傍及において、おむつ前後方向中央からファスニングテープ側へ向かうにつれて幅方向外側に位置するように向きを変えつつ斜めに延在する背側傾斜収束部分１３ｔと、背側及び腹側端部収束部分１３ｓ間の部分のうち腹側端部収束部分１３ｓの近傍及において、おむつ前後方向中央からファスニングテープ側へ向かうにつれて幅方向外側に位置するように向きを変えつつ斜めに延在する腹側傾斜収束部分１３ｔと、これら背側及び腹側傾斜収束部分１３ｔ間の中間部としての、弾性部材１３相互の間隔が空けられた非収束部分とを有している。
【００３０】
これら外側及び内側弾性部材１３における背側及び腹側端部収束部分１３ｓは、サイドフラップ部ＳＦにおける脚周り括れ部分より上側に設けられており、特に背側端部収束部１３ｓはファスニングテープ５の基端部と重なる位置に設けられている。また、特に背側及び腹側端部収束部分１３ｓは前後方向に沿う直線状にするよりも、前後方向に沿わないように傾斜した直線状や、緩やかな弧状等の曲線状にするのが望ましい。
【００３１】
また、外側及び内側弾性部材１３における背側及び腹側端部収束部１３ｓは、単一の束として収束されており、その端部側の一部または全部が接着固定されていない。これは、製造時に行われる前後縁での切断により弾性部材１３を同時に切断し、弾性部材１３の前後端部を収縮させて、外装シート１２とバックシート１との間に引き込ませ、前後縁からはみ出ないようにするためである。この結果、図２に点線で示すように、外装シート１２とバックシート１との間に筒状の通路１２ｒが形成される。この通路１２ｒは製品前後縁に開口する。外側及び内側弾性部材１３の他の部分は、内側弾性部材１３における背側及び腹側傾斜収束部分１３ｔを含め、伸張状態で両シート１２，１に接着固定される。
【００３２】
かくして構成されたテープ式使い捨ておむつでは、サイドフラップ部ＳＦにおいて、脚周り方向のみならず、胴回り方向に対しても伸縮性が発揮されるようになる。特に背側における内側弾性部材１３は、ファスニングテープ５の基端部と重なる部分まで収束部分が延在され、且つ伸張状態で固定されているため、ファスニングテープ５の締め付けに対して胴回り方向の伸縮性を発揮して追従することができ、フィット性に優れたものとなる。
【００３３】
（特徴的な部分について）
そして特徴的には、図５に示すように、ファスニングテープ５は、その全体にわたる（つまり固定部５ｆ、本体部５ｂ及び先端部５ｐにわたる）基本不織布層５１と、この基本不織布層５１における固定部５ｆ及び先端部５ｐにそれぞれ固定された補強不織布層５２とを有する。このように先端部５ｐに補強不織布層５２を設けることにより、先端部５ｐにおける強度や剛性を確保し、また本体部５ｂにおける柔軟性や伸縮性を確保することができる。また、図６および図７に示すように固定部５ｆにも補強不織布層５２を設けることもできる。
【００３４】
図示例の基本不織布層５１及び補強不織布層５２は、複数枚の不織布ＮＦを貼り合わせて形成されているが、一枚の不織布ＮＦで形成することもできる。この不織布ＮＦとしては公知のものを特に限定無く用いることができる。不織布ＮＦを構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。また、不織布ＮＦの加工方法としては、スパンレース法、スパンボンド法、ＳＭＳ法、サーマルボンド法、メルトブローン法、ニードルパンチ法、エアスルー法、ポイントボンド法等の公知の方法を用いることができる。特にオレフィン系繊維を用いたスパンボンド不織布、ＳＭＳ不織布が好ましい。
【００３５】
使用する不織布ＮＦの坪量は適宜定めることができるが、本体部５ｂにおける不織布ＮＦの総坪量が２０〜７５ｇ／ｍ2、特に２６〜４６ｇ／ｍ2であり、固定部５ｆ及び先端部５ｐにおける不織布ＮＦの総坪量がそれぞれ３５〜１３０ｇ／ｍ2、特に４６〜１１６ｇ／ｍ2であると好ましい。この範囲内であれば、ファスニングテープ５の固定部５ｆ及び先端部５ｐにおける強度や剛性の確保、及び本体部５ｂにおける柔軟性や伸縮性の確保を、バランス良く且つ効果的に達成することができる。
【００３６】
また、特徴的には、図８および図９に示すように、本体部５ｂを横断して固定部５ｆと先端部５ｐとを往復しながらファスニングテープ５の上下方向に延在する三角波状をなすように、細長状弾性部材２０が伸張状態でホットメルト接着剤により固定されている。具体的には、先端部５ｐから固定部５ｆに向かう（図９における下側から上側）につれてウエスト端縁Ｗ側に近づくような固定位置に沿って、細長状弾性部材２０がその長手方向に沿って直線状に伸張された状態で固定された第１の部分Ａ１と、先端部５ｐ側から固定部５ｆ側に向かう（図９における下側から上側）につれて股間側（ウエスト端縁側とは反対側）に近づくような固定位置に沿って、細長状弾性部材がその長手方向に沿って直線状に伸張された状態で固定された第２の部分Ａ２と、が交互に連なるよう細長状弾性部材２０が配置されている。さらに、この細長状弾性部材２０における、テープ式使い捨ておむつの前後方向中央側縁（股間側縁）に最も近い直線状部分２０ｓは、第１の部分Ａ１となるように形成されている。
【００３７】
細長状弾性部材２０の寸法等については適宜定めれば良いが、例えば、ファスニングテープ５の寸法に関して、高さ（上下方向長さ）ｈを６０〜２４０ｍｍ、固定部５ｆの幅を２０〜６０ｍｍ、本体部５ｂの幅を４０〜２５０ｍｍ、先端部５ｐの幅を３０〜１０５ｍｍとする場合、弾性部材２０の太さを３００〜２，５００ｄｔｅｘとし、弾性部材２０を三角波状に配置する場合には折り返し角度θ1を１〜３０度とし、また、幅方向に沿う直線状部分と折り返し部分からなる波状に配置する場合には直線状部分２０ｓの上下方向間隔ｓを２〜３０ｍｍとして、ファスニングテープの上下方向全体にわたり弾性部材２０を設けるのが好ましい。また、細長状弾性部材２０における、テープ式使い捨ておむつの前後方向中央側（股間側）に最も近い直線状部分２０ｓの幅方向に対する角度θ2は５〜３０度とする。
【００３８】
細長状弾性部材２０がこのような波状に配置されていると、細長状弾性部材２０が少なくとも固定部５ｆと本体部５ｂとに跨るように及び本体部５ｂと先端部５ｐとに跨るように、上下方向と交差する方向に沿って延在するため、細長状弾性部材２０が固定部５ｆ及び先端部５ｐと本体部５ｂとの各境界を繋ぐ補強部材となるだけでなく、各境界に加わる力が分散するため、裂けや破れが防止される。しかも、この細長状弾性部材２０を設けるだけであれば、柔軟性が損なわれることもなく、また形状が細長状であるため通気性が損なわれることもない。また、細長状弾性部材２０における、テープ式使い捨ておむつの前後方向中央側（股間側）に最も近い直線状部分２０ｓが、このように配置されていると、おむつ着用時に、細長状弾性部材における斜めになるよう固定された部分が、鼠径部または臀部の形状に沿って伸張されるやすくなるため、ファスニングテープ５近傍のフィット性が高くなる。
【００３９】
細長状弾性部材２０は、必ずしも第１の部分Ａ１と第２の部分Ａ２とが連続するように配置されている必要はないが、連続していることによって不連続になっているよりも部品点数が少なく、製造が容易であるため連続していることが好ましい。
【００４０】
また、第１の部分Ａ１及び第２の部分Ａ２に配置された細長状弾性部材２０は、必ずしも直線状に配置する必要はなく、曲線状に配置してもよい。要は、前述したように、第１の部分Ａ１では、先端部５ｐから固定部５ｆに向かうにつれてウエスト端縁Ｗ側に近づくような固定位置に沿って、細長状弾性部材２０がその長手方向に沿って伸張された状態で固定され、第２の部分Ａ２では、先端部５ｐ側から固定部５ｆ側に向かうにつれて股間側（ウエスト端縁側とは反対側）に近づくような固定位置に沿って、細長状弾性部材がその長手方向に沿って直線状に伸張された状態で固定されていれば良い。
【００４１】
【００４２】
細長状弾性部材２０の固定部位は適宜定めることができるが、基本不織布層５１を形成する不織布ＮＦ間に挟んでホットメルト接着剤で固定するのが好ましい。細長状弾性部材２０の接着は長手方向に所定の規則的間隔で間欠的になされているのが好ましく、特に本体部５ｂでは間欠接着、固定部５ｆ及び先端部５ｐでは連続接着となっているのが好ましい。図中にはこの接着剤部分が点模様（網掛け）により示されている。なお、この細長状弾性部材２０の固定及び他の不織布間の固定のための接着剤の総使用量は、本体部５ｂにおいては５〜４０ｇ／ｍ2とするのが好ましく、先端部５ｐにおいては１０〜６０ｇ／ｍ2とするのが好ましく、固定部５ｆにおいては５〜６０ｇ／ｍ2とするのが好ましい。
【００４３】
補強不織布層５２の形成方法は特に限定されないが、図５に示す先端部５ｐのように、基本不織布層５１の内面又は外面に、基本不織布層５１を形成する不織布ＮＦとは別体の不織布ＮＦをホットメルト接着剤により接着することにより補強不織布層５２を形成することができる。また、図６および図７に示すように、固定部５ｆ及び先端部５ｐの少なくとも一方において、基本不織布層５１を形成する不織布ＮＦの端部を一重又は二重（Ｚ字状）に折り返して対向面をホットメルト接着剤により接着することにより補強不織布層５２を形成することもできる。固定部５ｆをシート間（図示例の場合にはバックシート１と外装シート１２との間）に挟む場合、固定部５ｆにおける折り返し部分の端縁を、両シート１，１２間からはみ出さずに隠すのが好ましい。
【００４４】
図１０は、ファスニングテープのトリムレス製法への応用例を示している。トリムレス製法とはトリム（余分な廃棄部分） がゼロ（無）の製法である。本製法例では、先ず、連続帯状の複数枚の不織布ＮＦを繰り出してホットメルト接着剤により貼り合わせるとともに、これら不織布ＮＦ間におけるＣＤ方向両側の所定部位に細長状弾性部材２０を伸張状態でホットメルト接着剤により固定する。次いで、ＣＤ方向の両端部をそれぞれ中央側に折り返してホットメルト接着剤により固定する。かくして、固定部５ｆの補強不織布層５２となる部分を基本不織布層５１と同じ不織布ＮＦを一重に折り返して形成することができる。そして、同図（ｂ）に示すように、ＣＤ方向中央線に関して一方側の部分及び他方側の部分において、ＣＤ方向中央線側の端部をＣＤ方向中央線Ｌ１に関して線対称をなすようにそれぞれ二重に折り返し（換言すれば、ＣＤ方向中央部をΩ状に折り返す）、この折り返し部分における折り返し側と反対側の面（折り返し側面であっても良い）にフックテープ等の連結部９を設けることにより、図６に示すように、先端部５ｐの補強不織布層５２を基本不織布層５１の不織布ＮＦを二重に折り返して形成することができる。また、同図（ｃ）に示すように、連続帯状の不織布ＮＦを別途繰り出してＣＤ方向中央部にホットメルト接着剤により貼り付け、更にその上に（図示例と異なり反対面であっても良い）フックテープ等の連結部９を設けることにより、図５および図７に示すように、先端部５ｐの補強不織布層５２を別体の不織布ＮＦで形成することができる。
【００４５】
そして、かくして形成される連続シートＳｔを、連結部９を交互に横切りつつ連続シートの長さ方向へ連続する波状周期曲線Ｌ２によって切断するとともに、所望のファスニングシート形状となる所定位置で、ＣＤ方向に沿って外側縁から波状周期曲線Ｌ２に至る切断線（図示略）によって切断することにより個々のファスニングテープ５を製造することができる。
【００４６】
他方、図８に示すファスニングテープ５では、上下方向中間部における幅方向外側縁から本体部５ｂ内まで幅方向に沿うミシン目１０が設けられており、このミシン目１０を切り離すことにより上段部及び下段部に分離され、且つ上段部及び下段部の各々が固定部、本体部、先端部及び連結部を備えるようになっている。ミシン目１０による分離線は細長状弾性部材２０を横切らないような配置とするか、又は横切る場合にはミシン目１０のカット部分の形成時に同時に細長状弾性部材２０を切断しておくことが望ましい。ミシン目１０に代えて、予め切断等により分離されていても良い。このようなファスニングテープ５は、上段部と下段部とを交差させた状態で、腹側部分のフロントターゲットテープ６に着脱自在に連結することができる。この際、上段部及び下段部は幅方向に対して斜めに傾斜するが、前述のように細長状弾性部材２０が三角波状に配置されていると、このような傾斜方向に対しても十分な伸縮性が発揮される。もちろん、このような２段分割タイプに限らず、１段のみのタイプやミシン目１０を有せずあらかじめ分離されているタイプ等、他の公知のファスニングテープに応用することもできる。
【００４７】
（その他の実施形態）
図１１に示すように、ファスニングテープ５における股間側端縁は、先端部５ｐから固定部５ｆに向かうにつれて股間側に近づくように、幅方向に対してθ3の角度をなすように斜めに形成することもできる。ファスニングテープ５がこのように形成されていることによって、おむつの脚周りに沿う力の方向がファスニングテープで急角度に変化しないため、ファスニングテープ５が円滑に伸縮でき、脚周りに対するフィット性も高いものとなる。なお、θ3の角度は５〜３０度とするのが好ましい。また、ファスニングテープ５を上記のような形状に形成した場合、細長状弾性部材２０の股間側端縁に最も近い直線状部分２０ｓは、ファスニングテープ５におけるテープ式使い捨ておむつの股間側端縁に沿うように配置することが好ましい。
【００４８】
このように構成する場合、ファスニングテープ５におけるウエスト端縁側端縁が、先端部５ｐから固定部５ｆに向かうにつれてウエスト端縁側に近づくように、幅方向に対してθ3の角度をなすように斜めに形成することもできる。この場合、ファスニングテープ部５は、ミシン目１０を設けずにあらかじめ分離されている。
【産業上の利用可能性】
【００４９】
本発明は、テープ式使い捨ておむつに利用されるものである。
【図面の簡単な説明】
【００５０】
【図１】テープ式使い捨ておむつの展開状態の内面側を示す平面図である。
【図２】テープ式使い捨ておむつの展開状態の外面側を示す平面図である。
【図３】図１のＢ−Ｂ断面図である。
【図４】図１のＣ−Ｃ断面図である。
【図５】図１のＡ−Ａ断面図である。
【図６】他のファスニングテープ部分の断面図である。
【図７】他のファスニングテープ部分の断面図である。
【図８】ファスニングテープ部分の拡大図である。
【図９】図８の一部拡大図である。
【図１０】トリムレス製造の要領を示す、（ａ）平面図、（ｂ）図５に示すファスニングテープを製造する場合の断面図、及び（ｃ）図６に示すファスニングテープを製造する場合の断面図である。
【図１１】他のファスニングテープ部分の拡大図である。
【符号の説明】
【００５１】
１…不透液性バックシート、２…透液性トップシート、３…吸収体、４…バリヤシート、５…ファスニングテープ、６…ターゲットテープ、７…細長状弾性部材、９…フックテープ、１０…ミシン目、１２…外装シート、１３…細長状弾性部材、２０…細長状弾性部材、５１…基本不織布層、５２…補強不織布層、ＮＦ…不織布。
【図１】
0005442953.tif 000002
【図２】
0005442953.tif 000003
【図３】
0005442953.tif 000004
【図４】
0005442953.tif 000005
【図５】
0005442953.tif 000006
【図６】
0005442953.tif 000007
【図７】
0005442953.tif 000008
【図８】
0005442953.tif 000009
【図９】
0005442953.tif 000010
【図１０】
0005442953.tif 000011
【図１１】
0005442953.tif 000012